(57)【要約】【課題】土木工事現場で生じる濁水の処理方法の提供。【解決手段】粘土を含む懸濁質を含有している濁水の処理方法であり、濁水と二酸化炭素ガスとを接触させて中和した後、カルシウムを５質量％以上含む無機系凝集剤を主成分とする凝集剤で凝集処理し、ダイナミック濾過処理する、濁水中の懸濁質濃度を低下させる濁水の処理方法。【選択図】　なし【特許請求の範囲】
【請求項１】
粘土を含む懸濁質を含有している濁水の処理方法であり、濁水を、カルシウムを含む無機系凝集剤を主成分とする凝集剤で凝集処理した後、膜濾過処理する濁水の処理方法。
【請求項２】
濁水と二酸化炭素ガスとを接触させて中和した後、凝集剤で凝集処理する請求項１記載の濁水の処理方法。
【請求項３】
凝集剤が、カルシウムを５質量％以上含有するものである請求項１記載の濁水の処理方法。
【請求項４】
凝集剤が、カルシウムを含む無機系凝集剤と、有機系凝集剤の混合物である請求項１〜３のいずれか１記載の濁水の処理方法。
【請求項５】
凝集剤がカルシウムを５質量％以上含有しており、凝集剤の添加量が、濁水中の懸濁質量に対して、０．２〜２．０質量％となる量である請求項１〜５のいずれか１記載の濁水の処理方法。
【請求項６】
濾過処理が、均一な径の孔を有する濾過体によりなされる請求項１〜５のいずれか１記載の濁水の処理方法。
【請求項７】
濾過体が格子状のネットである請求項６記載の濁水の処理方法。
【請求項８】
ダイナミック濾過により濾過処理する請求項１〜７のいずれか１記載の濁水の処理方法。
【請求項９】
濾過処理後の濃縮水を沈降処理して懸濁質を沈降させ、更に濃縮した後、沈降汚泥を固化処理し、上澄液を凝集処理前の濁水に混合する請求項１〜８のいずれか１記載の濁水の処理方法。
【請求項１０】
濾過処理後の透過液を沈降処理するか、又は再度濾過処理する請求項１〜９のいずれか１記載の濁水の処理方法。
【請求項１１】
請求項１〜１０のいずれか１記載の濁水の処理方法に適用できる濁水の処理装置であり、濁水を沈降処理する沈降処理部、沈降処理後の上澄液を必要に応じて中和処理する中和処理部、濁水の濁度を検知して凝集剤の添加量を調整できる凝集剤添加手段及び攪拌手段を備えた凝集処理部、濾過処理部、透過液を濃縮処理する濃縮処理部、並びに透過液を貯水する貯水部を有しており、前記各処理部が、少なくとも前記順序で接続ラインにより接続されており、濃縮処理部において濃縮液と分離された液を沈降処理部、中和処理部又は凝集処理部に返送できるように、濃縮処理部と、沈降処理部、中和処理部又は凝集処理部が接続ラインにより接続されている濁水の処理装置。
【発明の詳細な説明】
【０００１】
【発明の属する技術分野】
本発明は、トンネルやダム工事のように、粘土混じりの濁水が生じるような施工現場において好適な濁水の処理方法、及び濁水の処理装置に関する。
【０００２】
【従来の技術及び発明が解決しようとする課題】
工事現場等で発生する濁水は大量の泥や砂を含んでおり、そのままでは河川等に放流することはできず、従来は凝集処理後に放流されていた。しかし、工事現場で生じる濁水の組成は変動が大きいため、凝集処理法を適用する場合、凝集剤の投入量の制御が困難であること、攪拌条件等によっても大きな影響を受けることから安定した濁水処理が困難であった。
【０００３】
トンネル工事で生じる濁水（トンネル濁水）の処理は、一般的には凝集沈殿による方法が用いられている。しかし、トンネル濁水は、組成の変動が大きいため、凝集沈殿法では凝集剤の添加量の制御が難しいことや、アルミニウムを含む凝集剤や高分子凝集剤を含む処理水を河川に放流するため、環境に対して悪影響を与えるという問題がある。
【０００４】
一方、本発明者らは、凝集沈殿法に替わる方法として、膜分離法によるダイナミック濾過法を提案している（特開２００１−１０４９５３号公報参照）。この発明は、不織布膜を用いて濁水を濾過処理するもので、膜上に濁水中の粒子成分を堆積させてダイナミック層を形成し、このダイナミック層を濾過体として濁水を濾過処理するものである。この発明によれば、粘土分の少ない濁水は良好に処理できるが、粘土分の多い濁水は、粘土分が膜を通過して濾過できないか、又は膜に粘土分が付着して目詰まりし、逆圧洗浄でも目詰まりした粘土分が膜から剥がれず、目詰まりが解消できないため、それ以降の濾過処理ができないという問題がある。このような問題が生じる原因は、以下のとおりであると推定される。
【０００５】
粘土分を多く含む濁水をダイナミック濾過する場合、濾過を開始した初期の段階では、粘土分は膜の網目を通過し、濾過水は清浄な処理水とはならない。これは、粘土粒子の大きさは５〜１０μｍ程度であり、不織布膜の網目よりはるかに小さく、粘土粒子が膜を容易に通過するためである。そして、濾過処理を長時間継続すると、不織布膜を構成する繊維の周囲に粘土粒子が付着しはじめ、それが粘土特有の粘着性により剥がれることなく、時間の経過と共に徐々に太くなっていき、ついには不織布膜の網目を塞ぐ程度にまで成長してしまうものと考えられる。
【０００６】
このように不織布膜の網目が閉塞された状態になれば、それ以降の濾過処理はできなくなるため、通常は、この時点又はこのような状態になる以前の時点で、逆圧洗浄により、膜面に付着した粘土を剥がし落とす処理を行う。しかし、粘土分を多く含む濁水の場合、粘土の粘着力が強いためか、この洗浄によっても膜に付着した粘土分を剥がし落とすことができず、濾過能力を回復させることができない。このようなことから、粘土分を多く含む濁水を不織布膜でダイナミック濾過処理する方法を適用した場合、初期の段階では、濾過水は濁った状態であり、ある程度時間が経過して清浄な濾過水が得られるようになった段階から、短時間で目詰まりが生じるため、結果的にはほとんど濾過処理できない状態となるものと考えられる。
【０００７】
本発明は、トンネルやダム工事現場等で生じる粘土を含む濁水の処理方法を提供することを課題とする。
【０００８】
【課題を解決するための手段】
本発明は、上記課題の解決手段として、粘土を含む懸濁質を含有している濁水の処理方法であり、濁水を、カルシウムを含む無機成分を主成分とする凝集剤で凝集処理した後、膜濾過処理する濁水の処理方法を提供する。
【０００９】
また本発明は、上記他の課題の解決手段として、上記の濁水の処理方法に適用できる濁水の処理装置であり、濁水を沈降処理する沈降処理部、沈降処理後の上澄液を必要に応じて中和処理する中和処理部、濁水の濁度を検知して凝集剤の添加量を調整できる凝集剤添加手段及び攪拌手段を備えた凝集処理部、濾過処理部、透過液を濃縮処理する濃縮処理部、並びに透過液を貯水する貯水部を有しており、前記各処理部が、少なくとも前記順序で接続ラインにより接続されており、濃縮処理部において濃縮液と分離された液を沈降処理部、中和処理部又は凝集処理部に返送できるように、濃縮処理部と、沈降処理部、中和処理部又は凝集処理部が接続ラインにより接続されている濁水の処理装置を提供する。
【００１０】
本発明でいう粘土は、カオリナイト、ハロイサイト、パイロフィライト、セリサイト、モンモリロナイト、クロライト、イライト、バーミキュライト、その他の公知の粘土鉱物を含むものである。
【００１１】
【発明の実施の形態】
以下、本発明に係る濁水の処理方法の一実施形態を、図１に示す濁水の処理装置を適用して処理した場合について説明する。図１は、本発明に係る濁水の処理装置の概念図である。なお、図１に示した濁水の処理装置は、当業者において通常なされる改変により変更することができる。
【００１２】
トンネルやダム工事等で生じた粘土を含有する濁水（原水）は、沈降処理槽１に供給され、大きめの石、砂、泥等を沈殿させた後、第１上澄液を送液ライン３０により濁水槽（第１上澄液槽）２に送る。この濁水槽２には送液ポンプ１０が設けられている。この濁水槽２は省略することもできる。
【００１３】
次に、濁水槽２中の第１上澄液を、送液ライン３１により凝集処理槽３に送るが、必要に応じて、濁水槽２と凝集処理槽３との間に中和処理槽を設けることができるほか、中和処理を凝集処理槽３で行うこともできる。
【００１４】
粘土を含む濁水中には、アルカリ土類酸化物、ＳｉＯ２、Ａｌ２Ｏ３、ＴｉＯ２、Ｐ２Ｏ５、ＺｎＯ等の多価の酸化物と水との水和物が含まれており、そのまま濾過処理部４において濾過体と接触させた場合、前記水和物が濾過体表面に付着して透過流束を低下させる。そのまま放置しておくと、更なる透過流束の低下を生じさせると共に、逆圧洗浄によっても除去できなくなる。このため、濾過体による処理に先立って中和処理することが望ましい。中和処理法は特に制限されるものではないが、濁水と弱酸、好ましくは二酸化炭素ガスを接触させて中和することが好ましく、例えば、凝集処理槽３（又は中和処理槽）の底部から二酸化炭素ガスでばっ気して中和する方法を適用できる。
【００１５】
凝集処理槽３には、濁水の懸濁質（ＳＳ）濃度を検知して凝集剤の添加量を調整できる凝集剤添加手段、及び攪拌手段１５を備えている。
【００１６】
凝集剤は、カルシウムを含む無機系凝集剤を主成分とするものであり、実験結果をもとに粘土分を含む濁水の凝集効果及びその後の膜濾過性を考慮すれば、カルシウムを５質量％以上含有するものが好ましく、８質量％以上含有するものがより好ましく、１０質量％以上含有するものが更に好ましい。
【００１７】
凝集剤は、カルシウムを含む無機系凝集剤と有機系凝集剤の混合物にすることが望ましい。混合物であれば、１つの凝集剤投入装置のみでよく、設備費用が軽減される。また両凝集剤を併せて用いることにより、無機系凝集剤の粘性を落とす機能と有機系凝集剤の適度な大きさのフロックを形成する機能とが相俟って、その後のダイナミック濾過を行うのに好適な状態の被処理水を得ることができる。また、混合物中、カルシウムを含む無機系凝集剤の含有量が５質量％以上であることが好ましい。カルシウムを含む無機系凝集剤としては、硫酸カルシウムや塩化カルシウム等が挙げられる。
【００１８】
他の無機系凝集剤としては、ポリ塩化アルミニウム、ポリ塩化鉄、硫酸第二鉄、硫酸アルミニウム、ベントナイト、シリカ等が挙げられる。有機系凝集剤としては、ポリアクリル酸エステル系、ポリメタクリル酸エステル系、ポリアクリルアミド系、ポリアミン系、ポリジシアンジアミド系等のカチオン性高分子凝集剤、ポリアクリル酸ソーダ系、ポリアクリルアミド系等のアニオン性高分子凝集剤、ポリアクリルアミド系のノニオン性高分子凝集剤、アミン系等の低分子有機凝集剤等が挙げられる。
【００１９】
凝集剤の添加量は、凝集剤がカルシウムを５質量％以上含有しているものであるとき、濁水中の懸濁質（ＳＳ）量に対して、０．２〜２．０質量％となる量が好ましく、０．４〜２．０質量％となる量がより好ましく、０．４〜１．０質量％となる量が更に好ましい。
【００２０】
凝集剤の添加量は、濁水の懸濁質の発生源となる工事現場等の粘土量を予め測定しておき、粘土量に応じて決定することができる。このとき、予め測定した粘土量に応じて凝集剤の大まかな添加量を調整し、実際の処理過程において、添加量を微調整するようにしても良い。
【００２１】
凝集剤の添加時には、凝集剤と第１上澄液とが充分に接触でき、フロックの形成が容易になるように、攪拌手段１５により、緩やかに攪拌することが望ましい。
【００２２】
次に、凝集処理槽３で凝集処理した後の被処理液を、送液ライン３２により濾過処理部４に送る。濾過処理部４は、被処理液を貯水した処理槽内に濾過体を浸漬して濾過処理する浸漬方式のもの、処理槽外に濾過体を設置して、処理槽内の被処理液を濾過体に循環させる外置き方式のものでも良い。
【００２３】
濾過処理部４では、例えば、図２に示すような構造の濾過装置２０を用いることができる。図２は、一部断面（本体部が断面で示されている）を含む正面図である。
【００２４】
濾過装置２０は、処理槽２１内に所要数の濾過エレメント２２が浸漬されており、底部には、ポンプ１１に接続されたエアバブリング用の散気管２３が取付られている。２４はオーバーフローラインであり、送液ライン３７に接続される。
【００２５】
濾過エレメント２２は、１以上の所要数の集水管を備えた枠体の両面に、濾過体を張り付けた袋状のものであり（必要に応じて、２枚の濾過体間に間隔保持部材を配置できる。）、図１では、一つの集水管が透過液ノズル２５となっている。複数の濾過エレメント２２におけるそれぞれの透過液ノズル２５は、透過液ライン３３に接続されている。
【００２６】
濾過体はどのようなものでも良いが、均一な径の孔や隙間を有する濾過体が好ましく、更には格子状のネットを用いることが好ましい。不均一孔の膜であれば、処理水の水質を確保するため、膜が有する最大孔径の孔付近を基準にして孔径を選定する必要があり、平均孔径が必要以上に小さくなる。このため、膜の孔に原液の微粒子がはまり込み、詰まりを生じ易くなる。一方、均一孔の膜であれば、処理水の水質を維持するための孔は、ほぼ平均孔径で選定することになり、更に孔径が均一のため、サイズが小さい孔自体も少なく、膜の目詰まりは少なくなる。
【００２７】
なお、均一な孔径とは、全ての孔の径が完全に均一であることを意味するものではなく、本発明の目的を損なわない範囲内で、製造上の誤差や材質による誤差（例えば、±数％の誤差）があっても差し支えない。
【００２８】
濾過体は、平均孔径が１０〜１００μｍのものが好ましく、１０〜５０μｍのものがより好ましく、下記のとおり、（ａ）平均孔径、（ｂ）開孔率及び（ｃ）厚みの３つの要件を具備するネットが更に好ましい。
（ａ）の平均孔径は、次式：（Ｍ−Ｌ）／Ｍ×１００（Ｌは最小孔径、Ｍは平均孔径を示す）で規定される孔径分布が±２０％以内、好ましくは±１５％以内である。
（ｂ）の開孔率は、好ましくは２０〜６０％、より好ましくは２５〜５０％である。
（ｃ）の厚みは、好ましくは２５〜１５０μｍ、より好ましくは３０〜１００μｍである。
【００２９】
更に、（ａ）〜（ｃ）の要件を具備するネットは、（ｄ）線径が好ましくは２０〜８０μｍ、より好ましくは３０〜７０μｍとの要件も合わせて具備するものが好ましい。
【００３０】
濾過体は、濁水の組成によっては次亜塩素酸ナトリウム耐性を有するものであることが望ましく、２×１０ｃｍの大きさの濾過体を有効塩素濃度１質量％の次亜塩素酸ナトリウム水溶液に１ヶ月浸漬したとき、初期の引張強度に対する減少率が３０％未満であるものが好ましい。
【００３１】
濾過体は、金属繊維又はプラスチック繊維からなるものが好ましい。金属繊維としては、鉄、銀、銅、銅合金、チタン、ステンレス、基材となる金属に銀や銅をメッキしたものからなるものを挙げることができるが、銅、ステンレスが好ましい。プラスチック繊維としては、ポリエステル、ポリスチレン、ポリ塩化ビニル、ポリ塩化ビニリデン、ポリテトラフルオロエチレン、ポリ（メタ）アクリル酸エステル、ビスコースレーヨン、酢酸セルロース、ポリエチレン、ポリプロピレン等のポリオレフィン、ポリエーテル、ポリエーテルエステル及びこれらの共重合体、ブレンド物又は架橋物等を挙げることができるが、ポリ塩化ビニリデン、ポリエステル、ポリエチレン、ポリプロピレンが好ましく、ポリエステル、ポリエチレンがより好ましい。
【００３２】
濾過処理部４においては、低い膜間差圧によりダイナミック濾過することが望ましく、膜間差圧を低く保つことができ、エネルギーを省力化できることから、好ましくは０．５〜５０ｃｍ、より好ましくは１〜１０ｃｍの水頭差（図２中のΔｈ）を利用してダイナミック濾過することが望ましい。
【００３３】
濾過処理部４で濾過処理した透過液は、原水の供給流量よりも小さな流量で、透過液ライン３３により貯水槽５に送られて貯水され、河川等に放流される。このとき、透過液中のＳＳ濃度に応じて、透過液を再度濾過処理したり、沈降処理したりすることができる。
【００３４】
このような濾過処理を継続して行った場合、濾過処理部４の濾過エレメント２２の表面（濾過体の表面）には、ＳＳからなる過度のケーキ層が形成されて孔が目詰まりを生じ、そのまま放置しておくと透過流束が著しく低下してしまう。このため、適当な運転間隔をおいて、濁水の流入を停止した後、エアバブリングを伴う濾過エレメント２２の逆圧洗浄を行うことで、ケーキ層の厚みを調整することが望ましい。
【００３５】
濾過エレメント２２の逆圧洗浄法は特に制限されるものではなく、貯水槽５内の透過液を逆洗ポンプ１３により供給して、透過液ライン３３から濾過エレメント２２内部に圧入する方法、濾過処理部４の処理槽２１の底面から、散気管２３によりエアバブリングする方法、それらを組み合わせた方法を適用できる。逆圧洗浄水には、必要に応じて、薬液槽８から、次亜塩素酸ナトリウム等の薬液を添加することができる。
【００３６】
逆圧洗浄に用いた洗浄液は、濃縮液と共に、送液ライン３４により濃縮処理部６に送る。濃縮処理部６では沈降処理を行い、上澄液（第２上澄液）は、ポンプ１２を作動させて、送液ライン３７により凝集処理槽３に返送する。このとき、第２上澄液は、沈降処理槽１又は濁水槽２に返送することもできる。
【００３７】
濃縮処理部６に滞留する汚泥は、送液ライン３６により汚泥貯留槽７に送った後、ポンプ１４を作動させてフィルタープレス機に送って脱水処理し、残液は沈降処理槽１、濁水槽２又は凝集処理槽３に返送する。また、汚泥量が過剰の場合は、適宜、汚泥引き抜きライン３５より引き抜く。
【００３８】
本発明の濁水の処理方法では、透過流束を好ましくは３ｍ／日以上、より好ましくは５〜１５ｍ／日に設定することで、濁度（日本水道協会上水試験方法に記載の散乱光測定法による）の減少率を９０％以上、更には９５％以上にすることができる。
【００３９】
本発明の処理方法における処理機構は、次のとおりであると推定される。凝集処理により、濁水中の粘土分は凝集され、カルシウム成分の固結作用により、ある程度の大きさと固結度を有する塊（フロック）になり、粘土粒子のような粘着性は少なくなる。この塊は、濾過処理で使用する膜の網目と比べて、著しく小さいということはなく、著しく大きいということもない。従って、濾過に伴い、膜面上には速やかにダイナミック層が形成され、このダイナミック層により濁水が効率良く濾過される。ダイナミック層は、粘土分が固結した塊が積み重なった状態となり、塊の間には濾過水が通過できる十分な空隙が生じている。
【００４０】
一定時間経過すれば、膜面上にはダイナミック層が厚く堆積し、濾過速度の低下が生じるので、この時点で、上記のとおり、逆圧洗浄を行うことで、膜面上に堆積したダイナミック層は容易に剥がれ落ちる。これは、ダイナミック層が粘土が団結した塊で形成されているため、粘着力は小さく、塊状であるため、粒子相互の接触面積も小さいためである。
【００４１】
以上のとおりの処理機構であるため、粘土を含む濁水に対しても、高い濾過能力を安定して発揮できる。
【００４２】
本発明の濁水の処理方法及び処理装置は、トンネル、ダム等の工事現場で生じる粘土を含有する濁水の処理用として好適であるが、粘土を含まない濁水にも適用できる。
【００４３】
また本発明の処理装置は、図２に示す濾過装置単独又は濾過装置と図１に示すような他の装置を組み合わせた装置を用いるものであり、これらの装置は、トンネルやダムの工事現場に車で持ち運びができるように構成できるものである。
【００４４】
【実施例】
以下に、実施例に基づいて本発明をより詳細に説明するが、本発明はこれらの実施例によって限定されるものではない。
【００４５】
実施例１
図１、図２に示す処理装置を用いて濁水の処理を行った。まず、沈降処理槽１において、トンネル工事現場より排出された粘土を含む濁水を沈降処理した後、第１上澄液（ＳＳ濃度が約５０００ｍｇ／Ｌ、ｐＨ１０．５）を濁水槽２に送った。
【００４６】
次に、濁水槽２から凝集処理槽３に濁水（第１上澄液）を送り、中和と凝集処理を行った。中和は、凝集処理槽３の底部から二酸化炭素ガスを５リットル／分で１０分間程度曝気して行った。凝集処理は、無機系凝集剤（カルシウム含有量１１質量％）（パピルス００１、エム・シー鉱産社製）を５０ｍｇ／Ｌになるように添加し、攪拌機１５により約２分間攪拌して行った。
【００４７】
次に、凝集処理後の液（ＳＳ濃度が約５０００ｍｇ／Ｌ、ｐＨ７．５）を濾過処理部４に送り、ダイナミック濾過した。濾過処理部４では、図２に示す水頭差Δｈが５ｃｍ（５ｋＰａ）で、連続的にダイナミック濾過し、透過液は貯水槽５に送り、貯水した。なお、濾過エレメントとして、綾織ステンレス製ネット（平均孔径４３μｍ、孔径分布±５％以内、線径３４μｍ、開孔率３０％、厚み７０μｍ）２枚からなる濾過体を枠体の両側に貼り付けた袋状のもの（有効濾過面積０．０１ｍ２）を用いた。３０分間の濾過処理後、逆圧洗浄とエアバブリングを０．５分間行い、この運転サイクルを繰り返した。
【００４８】
運転初期の透過液のＳＳ濃度は平均で１０ｍｇ／Ｌ、平均処理能力は濾過体の有効濾過面積当たり５．１ｍ３／ｍ２・日であった。５時間の運転後における透過液のＳＳ濃度は平均で１０ｍｇ／Ｌ、平均処理能力は濾過体の有効濾過面積当たり５．０ｍ３／ｍ２・日であり、運転初期との濾過性能との差はなかった。
【００４９】
実施例２
実施例１と同様にして濁水を処理した。但し、第１上澄液はＳＳ濃度が約７００ｍｇ／Ｌ、ｐＨ１１．３であり、凝集剤の添加量は７ｍｇ／Ｌとした。運転初期の透過液のＳＳ濃度は平均５ｍｇ／Ｌ、平均処理能力は有効濾過面積当たり９．４ｍ３／ｍ２・日であり、５時間経過後にも全く変化はなかった。
【００５０】
比較例１
凝集剤としてポリ塩化アルミニウム（タイキ薬品工業社製）を使用した以外は実施例１と全く同様にして濁水を処理した。運転初期の透過液のＳＳ濃度は平均４５ｍｇ／Ｌ、平均処理能力は有効濾過面積当たり４．８ｍ３／ｍ２・日であったが、５時間経過後には、透過液のＳＳ濃度は平均２５ｍｇ／Ｌ、平均処理能力は有効濾過面積当たり１．３ｍ３／ｍ２・日となり、濾過性能が大幅に低下した。
【００５１】
比較例２
凝集剤として塩化第二鉄（和光純薬社製）を用いた以外は実施例２と全く同様にして濁水を処理した。運転初期の透過液のＳＳ濃度は平均３１ｍｇ／Ｌ、平均処理能力は有効濾過面積当たり７．８ｍ３／ｍ２・日であったが、５時間経過後には、透過液のＳＳ濃度は平均１９ｍｇ／Ｌ、平均処理能力は有効濾過面積当たり１．９ｍ３／ｍ２・日となり、濾過性能が大幅に低下した。
【００５２】
以上の実施例及び比較例との対比から明らかなとおり、本発明の処理方法を適用することにより、粘土分を多く含有するトンネル濁水を処理したとき、粘土分は膜による濾過処理により取り除かれ、更に中和処理を併用しているので、濾過時に膜面に粘土分が付着することを抑制することができる。このため、処理液中のＳＳ濃度は低く、平均処理能力の経時的な変化も小さくできる。
【００５３】
【発明の効果】
本発明の濁水の処理方法を適用すれば、粘土分を多く含有するトンネル濁水等を処理したとき、処理液中のＳＳ濃度を低下させ、かつ平均処理能力の経時的変化も小さくできるので、処理水を河川等に放流したときでも、水質を汚染することがない。
【図面の簡単な説明】
【図１】濁水の処理方法に使用する処理装置の概念図。
【図２】処理装置に含まれる濾過装置の概念図。
【図１】
2004025011.tif 000002
【図２】
2004025011.tif 000003